(57)【要約】  【課題】  外耳道を傷つけることなく、耳垢の掃除を容易にする。また、１本の耳かきで両方の耳内をそれぞれ新規の耳かき部で掃除できるようにする。さらに、安価で使い捨てを可能にする。乳幼児の耳垢掃除にも適用可能にする。  【解決手段】  耳かき１００は檜のストレート軸１０からなり、ストレート軸１０の長さＬを６０mm、直径φＤを２．５mmとし、両端面からそれぞれ２mmの位置(符号Ｌ1)に幅１．２mm(符号Ｗ)、深さ０．３mmの環状溝２０を各々３本ずつ配設した。環状溝２０の配設間隔(ピッチＰ)は略３mmとし、両端面のＣメントリは０．５mm程度とした。【選択図】  図１
0003141149.tif 000002
【実用新案登録請求の範囲】
【請求項１】
ストレート軸の両端近傍にそれぞれ複数本の環状溝を所定間隔毎に配設してなり、前記環状溝の配設間隔(ピッチP)をストレート軸の太さと略同等以上としたことを特徴とする耳かき。
【請求項２】
ストレート軸を木材または竹材のいずれか一方としたことを特徴とする請求項１記載の耳かき。
【請求項３】
ストレート軸の直径を乳幼児向けの２mm〜２．５mmの範囲としたことを特徴とする請求項２記載の耳かき。
【請求項４】
少なくとも環状溝を含む端部に消毒液またはゴム系塗料のいずれか一方を備えたことを特徴とする請求項１〜３のいずれか１項に記載の耳かき。
【考案の詳細な説明】
【技術分野】
【０００１】
本考案は、耳垢などを除去するために用いられる耳かきに関する。
【背景技術】
【０００２】
従来、耳垢を除去するために、竹または合成樹脂などから成る長手棒状の把持部の長手方向一端部にへら状の掻取部が一体的に形成される耳かきや、木または合成樹脂から成る長手棒状の把持部の長手方向両端部に脱脂綿が巻き付けられた綿棒、およびピンセットなどが用いられている。
【０００３】
耳内に痛みを与えない構成として、耳かき部にスクリュー形状を備えたものが実開平７−３３１９０号公報に提案されている。
さらに、耳垢とかゆみを同時に解消するため、ボルトの凹凸形状を配設したものが特開平１０−４３０８４号公報に提案されている。
【特許文献１】実開平H７−３３１９０号公報
【特許文献２】特開平H１０−４３０８４号公報
【考案の開示】
【考案が解決しようとする課題】
【０００４】
しかし特許文献１、２における耳かきはスクリューの配設ピッチが明記されていない。図面から推量するに、特許文献１、２におけるスクリューは一般的なネジに見受けられる。ネジ部の外形が３mmの場合(JIS規格の呼びＭ３)、ネジのピッチは０．５mm、ネジ部の外形が４mmの場合(呼びＭ４)、ネジのピッチは０．７mmである。即ち、一般的なネジのピッチはネジ部外径の略1/6程度と小さくネジ山先端が尖っており耳内で回転または摺動させた場合、耳内表面（外耳道）を傷つける恐れが有った。
【０００５】
また、特許文献１、２における耳かきはストレート軸でない上、軸の一端側にのみスクリュー部が配設されている。１本の耳かきを繰り返し使用するものであって、使い捨ての思想を明示していない。従って、１本の耳かきを多人数で使い回しすることは非衛生で炎症や病気等の感染原因となる。同一人であっても、片方の耳内に何らかの炎症を生じていた場合、他の耳内にうつる恐れがあった。
【０００６】
本考案の耳かきは、外耳道を傷つけることなく、耳垢の取り出しを容易にすることを目的とする。１本の耳かきで、両方の耳内をそれぞれ新規の耳かき部で掃除できるようにし、片方の耳内の炎症が他方に感染するのを防止することを目的とする。さらに、安価で使い捨てが可能な耳かきを提供することを目的とする。
【課題を解決するための手段】
【０００７】
本考案にかかる耳かきは、ストレート軸の両端近傍にそれぞれ複数本の環状溝を所定間隔毎に配設してなり、前記環状溝の配設間隔(ピッチP)をストレート軸の太さと略同等以上としたことを特徴としたもので、これにより環状溝の角部で耳垢を剥がし、かつ、かゆい部分を掻くことができる。また、耳かきの軸を外耳道に沿って摺動させることにより耳かきと外耳道との接触面積が多くなり、外耳道を傷つける恐れが極めて少ない。環状溝の配設ピッチを従来のネジのピッチより大きくし、かつネジ山の鋭角部も無くしている。さらに、摺動動作によって耳垢が環状溝内に溜まり耳垢の取り出しを容易に効率よく行える。掻き落とした粉垢が外耳道に付着、残存していても環状溝できれいに掻き出すことができる。さらに、１本の耳かきで、両方の耳内をそれぞれ新規の耳かき部で掃除できる。
【０００８】
さらに本考案にかかる耳かきは、ストレート軸を木材または竹材のいずれか一方としたことを特徴としたもので、耳かきを間伐材などで製作した場合、コストを低減でき使い捨てを可能にする。
【０００９】
さらに本考案にかかる耳かきは、木材または竹材からなるストレート軸の直径を乳幼児向けの２mm〜２．５mmの範囲としたことを特徴としたもので、ストレート軸の直径を細くすることにより乳幼児の耳垢掃除を安全・安心して行える。
【００１０】
さらに本考案にかかる耳かきは、木材または竹材からなるストレート軸の少なくとも環状溝を含む端部に消毒液またはゴム系塗料のいずれか一方を備えたことを特徴ととしたもので、消毒液は細菌感染や炎症等を防止する。ゴム系塗料は外耳道にソフトタッチでき、外耳道を傷つける恐れが低減し、かつ耳垢の剥離・付着を促す。
【考案の効果】
【００１１】
上記構成により本考案の耳かきは、外耳道を傷つけることなく、耳垢の取り出しを容易に安全に短時間で行える。１本の耳かきで、両方の耳内をそれぞれ新規の耳かき部で掃除でき、炎症等の感染を防止できる。さらに、安価で使い捨てが可能な耳かきを提供できる。消毒液は細菌感染や炎症等を防止する。ゴム系塗料は外耳道を傷つける恐れが低減し、耳垢の剥離・付着を促す。
【考案を実施するための最良の形態】
【００１２】
本考案にかかる耳かきは上述の通りである。耳かきを構成する部材は一般的に使用される任意の部材としてよい。例えば、銅などの殺菌効果を有する金属、ステンレス鋼、黄銅、アルミニウム、チタン、または竹、ひのき、楠の木などの抗菌性木材、一般的な間伐材、またはポリエチレン樹脂、ポリスチレン等の樹脂で射出成形したもの等とすればよい。
【００１３】
本考案の耳かきを抗菌性木材以外の一般的な間伐材等で構成した場合、使用に備えて予め消毒しておくのが好ましい。熱湯煮沸、または消毒液に浸漬、消毒液を塗布、消毒液を含浸させておく等とすればよい。消毒液は例えば、エタノール液、クレゾール石鹸液、クレオゾール、過酸化水素、クロルヘキシジン液、ポピドンヨード液、グルコン酸クロルヘキシジン液、過酢酸製剤６%消毒液、２%グルタルアルデヒド、光触媒等から選んだ一つとすればよい。消毒液を備える範囲はストレート軸全体であってもよいし、少なくとも環状溝を含む両側の端部に備えるのが望ましい。
【００１４】
さらに、ストレート軸の少なくとも環状溝を含む両側端部にゴム系塗料を10μｍ〜３０μｍの厚さに塗布しておく構成としてもよい。ゴム系塗料は外耳道を傷つける恐れが低減し、外耳道との摩擦力の増加により耳垢の剥離を促す。また、ゴム系塗料表面への耳垢付着が増す。ゴム系塗料はブチルゴム、シリコンゴム、軟質塩化ビニールなど任意の部材としてよい。
【００１５】
本考案の耳かきを構成する軸部材は、ストレート軸とするのが好ましい。軸の断面形状は円形、四角形のいずれか一方とするのが好ましい。円形の場合、直径を２mm〜４mmの範囲、好適には２．２mm〜３mmの範囲とするのが好ましい。乳幼児の場合は２mm程度と若干細くするのが好ましい。ストレート軸の直径を細くすることにより外耳道内が見易くなり、乳幼児の耳垢掃除を安全・安心に行える。ストレート軸の長さは５０mm〜７０mmの範囲、好適には６０mm程度とするのが好ましい。ストレート軸の端面は耳内を傷つけないよう、ＣメントリまたはＲメントリ、球面などとするのが好ましい。
【００１６】
環状溝の幅寸法は１．０mm〜1.２mm程度、深さ寸法を０．３mm〜０．４mm程度に構成するのが好ましい。なお、環状溝は両端近傍にそれぞれ２本ずつ配設すれば十分だが、別段、２本以上の環状溝を配設間隔(ピッチＰ)３mm〜５mm程度に備えてよいことは自明である。環状溝の配設ピッチＰはストレート軸の太さと略同等以上、例えば、２mm〜４mm程度、好適には２．５mm〜３．５mm程度が望ましい。
【実施例】
【００１７】
以下、本考案の耳かきを図面とともに説明する。図１は本考案の一実施例における耳かきの正面図を示す。
【００１８】
図1に示す耳かき１００は抗菌性木材の檜からなるストレート軸１０で構成した。ストレート軸１０の長さＬを６０mm、直径φＤを２．５mmとした。両端面からそれぞれ２mmの位置(符号Ｌ1)に幅１．２mm(符号Ｗ)、深さ０．３mm(符号Ｘ)の環状溝２０を各々３本ずつ所定間隔毎に配設した。環状溝２０の配設間隔(ピッチＰ)は略３mmとした。両端面のＣメントリは０．５mm程度とした。なお、環状溝２０の底径φＤ２は１．９mmとなる。
【００１９】
上記構成により本考案の耳かきは、環状溝２０が耳垢を剥がし、かつ、かゆい部分を掻くことができる。また、耳かきを摺動させることにより耳かきと外耳道との接触面積が多くなり、外耳道を傷つけることなく、耳垢の取り出しを容易に効率よく行える。１本の耳かきの両側を用い、両方の耳内をそれぞれ新規の耳かき部で掃除できる。さらに、木製なので安価で使い捨てが可能となる。
【００２０】
図２は、間伐材を実施例の図１に示す形状寸法に加工した耳かき１５０をエタノール液で消毒した後、紙部材で包装した形態の連結状耳かき２００を示す。紙製の包装袋に収納された耳かき１５０はミシン目５０により１本毎に切り離して使用でき、衛生的で、使い捨て可能に構成したものである。包装袋の内面に樹脂フイルムを積層、または防湿樹脂を塗布しておいてよいことは自明である。
【産業上の利用可能性】
【００２１】
本考案の耳かきは人間用に限らず、犬など各種ペットや各種家畜用の耳かきとしても有用である。
【図面の簡単な説明】
【００２２】
【図１】本考案の一実施例における耳かきの正面図
【図２】本考案のもう一つの実施例における連結状耳かきの正面図
【符号の説明】
【００２３】
１０  ストレート軸
２０  環状溝
４０  包装袋
５０  ミシン目
１００、１５０  耳かき
２００  連結状耳かき
φＤ  ストレート軸の直径
Ｌ  ストレート軸の長さ
Ｐ  環状溝の配設ピッチ
Ｘ  環状溝の深さ
Ｗ  環状溝の幅
φＤ２  環状溝の底径
Ｌ1  環状溝を配設する端面からの距離
【図１】
0003141149.tif 000003
【図２】
0003141149.tif 000004